(57)【要約】      （修正有）【課題】キッチン内での作業効率を向上させることにより、スピーディーな商品提供を実現する注文伝達システムを提供する。【解決手段】キッチン内に設置される少なくとも一つの一覧端末５を備え、該一覧端末は、顧客の注文に関する注文情報を受信するための一覧端末用通信部５０と、該一覧端末用通信部で受信した注文情報の内容を表示するための一覧端末用表示部５１と、前記一覧端末用通信部で受信した注文情報の内容に応じた処理を実行する一覧端末用処理部５２とを備え、前記注文情報には、顧客が注文した商品を示す商品情報が含まれ、前記一覧端末用処理部は、前記一覧端末用表示部への前記商品情報が示す商品の表示態様を商品の分類に応じて決定する表示態様設定を取得し、且つ該表示態様設定に基づいて決定した表示態様で前記商品情報が示す商品を前記一覧端末用表示部に表示する注文表示機能を有する注文伝達システム１である。【選択図】図２
0003211226.tif 000002
【実用新案登録請求の範囲】
【請求項１】
キッチン内に設置される少なくとも一つの一覧端末を備え、該一覧端末は、顧客の注文に関する注文情報を受信するための一覧端末用通信部と、該一覧端末用通信部で受信した注文情報の内容を表示するための一覧端末用表示部と、前記一覧端末用通信部で受信した注文情報の内容に応じた処理を実行する一覧端末用処理部とを備え、前記注文情報には、顧客が注文した商品を示す商品情報が含まれ、前記一覧端末用処理部は、前記一覧端末用表示部への前記商品情報が示す商品の表示態様を商品の分類に応じて決定する表示態様設定を取得し、且つ該表示態様設定に基づいて決定した表示態様で前記商品情報が示す商品を前記一覧端末用表示部に表示する注文表示機能を有する注文伝達システム。
【請求項２】
前記注文表示機能は、前記商品情報が示す商品の商品名と、該商品名の背景とを前記一覧端末用表示部に表示するように構成され、前記表示態様設定は、前記商品名、及び前記商品名の領域の背景の少なくとも何れか一方の表示態様を前記分類に応じて決定するように構成される請求項１に記載の注文伝達システム。
【請求項３】
前記表示態様設定は、商品の種別を前記分類として商品の表示色を決定するように構成される請求項１又は請求項２に記載の注文伝達システム。
【請求項４】
前記表示態様設定は、顧客による商品の消費態様を前記分類として商品の表示色を決定するように構成される請求項１乃至請求項３の何れか一項に記載の注文伝達システム。
【請求項５】
前記一覧端末用処理部は、前記商品情報が示す商品がメインメニュー、サイドメニュー、メインメニュー又はサイドメニューに付随するオプションの何れに該当するかを識別するための識別機能を有し、前記識別機能によりメインメニューであると識別された前記商品情報を表示するメイン表示領域と、前記識別機能によりサイドメニュー又はオプションであると識別された前記商品情報を表示するサブ表示領域とを設定するように構成される請求項１乃至請求項４の何れか１項に記載の注文伝達システム。
【請求項６】
前記一覧端末用処理部は、一つの前記メイン表示領域と隣り合う位置に複数の前記サブ表示領域を設定し、前記メイン表示領域と前記サブ表示領域とが隣り合う方向に対して直交する方向において、前記複数のサブ表示領域を並べて配置するように構成される請求項５に記載の注文伝達システム。
【請求項７】
前記メイン表示領域と、前記サブ表示領域とは、矩形状の領域であり、前記メイン表示領域の長手方向と、前記サブ表示領域の長手方向とが互いに直交している請求項６に記載の注文伝達システム。
【請求項８】
前記メイン表示領域と、前記サブ表示領域とには、それぞれの長手方向と対応する方向に沿って商品名が表示される請求項７に記載の注文伝達システム。
【請求項９】
前記一覧端末用処理部は、一つの前記注文情報に含まれる情報を表示するための注文表示領域を設定し、該注文表示領域内に前記メイン表示領域と、前記サブ表示領域とを設定するように構成される請求項５乃至請求項８の何れか１項に記載の注文伝達システム。
【請求項１０】
前記注文情報の収集及び配信を行う情報集配信端末と、該情報集配信端末から配信された前記注文情報の内容に応じた調理指示をキッチンの調理場内で表示する個別端末とを備え、前記情報集配信端末は、受信した前記注文情報に含まれる前記商品情報に対して、前記商品を構成する品目を示す少なくとも一つの構成品目情報を関連付ける情報構築処理と、前記構成品目情報が関連付けられている前記商品情報を含む前記注文情報を前記一覧端末と前記個別端末とに配信する配信処理とを実行するように構成され、該個別端末は、情報集配信端末から前記注文情報を受信するための個別端末用通信部と、該個別端末用通信部で受信した前記注文情報の内容を表示するための個別端末用表示部と、前記個別端末用通信部で受信した注文情報の内容に応じた処理を実行する個別端末用処理部とを備え、前記個別端末用処理部は、前記構成品目情報を調理指示として前記個別端末用表示部に表示する指示表示機能を有する請求項１乃至請求項９の何れか１項に記載の注文伝達システム。
【請求項１１】
前記指示表示機能は、前記構成品目情報を調理順に並べて表示するように構成される請求項１０に記載の注文伝達システム。
【請求項１２】
前記個別端末用処理部は、前記調理場で調理対象としている前記品目を表示する品目表示枠と、該品目の調理指示を表示する複数の調理指示枠とを一行に並べて表示する調理情報表示領域を少なくとも一つ設定し、前記指示表示機能は、前記調理指示枠内に前記構成品目情報を表示するように構成される請求項１０又は請求項１１に記載の注文伝達システム。
【請求項１３】
前記指示表示機能は、前記構成品目情報を表示する前記調理指示枠内の背景に前記品目の種別に応じた色を設定するとともに、前記調理指示枠内に調理数を表示するように構成される請求項１２に記載の注文伝達システム。
【請求項１４】
前記個別端末用処理部は、前記調理場で調理対象としている前記品目毎の調理数の残数を表示する残数表示機能を有する請求項１０乃至請求項１３の何れか１項に記載の注文伝達システム。
【考案の詳細な説明】
【技術分野】
【０００１】
本考案は、顧客から受けた注文の情報をキッチン内に伝える注文伝達システムに関する。
【背景技術】
【０００２】
従来から、飲食店等には、顧客から受けた注文の情報をキッチン内の作業者に伝達するための注文伝達システムが導入されている。
【０００３】
かかる注文伝達システムには、例えば、特許文献１に開示されているように、顧客の注文を受け付けるオーダリング端末と、該オーダリング端末が受け付けた注文に関する情報をキッチン（厨房）内で表示する厨房用端末とを備えたオーダリングシステムがある。
【０００４】
オーダリング端末は、所望する商品や、商品の数量等を選択可能であり、顧客に選択された商品名や、数量等の情報を厨房用端末に送信するように構成されている。
【０００５】
厨房用端末は、オーダリング端末から受信した商品名や、数量等の情報を受信順に一列に並べて文字情報で表示するように構成されている。
【０００６】
そのため、キッチン内の作業者は、厨房用端末に表示されている商品名や、数量を見ながら商品を完成させるために必要な作業を考えて行動している。
【先行技術文献】
【特許文献】
【０００７】
【特許文献１】特開２００９−１６３３０９号公報
【考案の概要】
【考案が解決しようとする課題】
【０００８】
ところで、従来のオーダリングシステムの厨房用端末には、複数の文字情報が一列に並んで単調に表示されているため、キッチン内の作業者は、厨房用端末に表示されている文字情報のみから注文内容を認識したうえで必要な作業を考えながら調理作業を行っている。
【０００９】
このように、従来のオーダリングシステムでは、作業者が厨房用端末に表示された文字情報を見て注文内容を認識するまでに時間がかかるため、顧客への商品提供スピードが低下することもあった。
【００１０】
そこで、本考案は、キッチン内での作業効率を向上させることにより、スピーディーな商品提供を実現する注文伝達システムを提供することを課題とする。
【課題を解決するための手段】
【００１１】
本考案の注文伝達システムは、キッチン内に設置される少なくとも一つの一覧端末を備え、該一覧端末は、顧客の注文に関する注文情報を受信するための一覧端末用通信部と、該一覧端末用通信部で受信した注文情報の内容を表示するための一覧端末用表示部と、前記一覧端末用通信部で受信した注文情報の内容に応じた処理を実行する一覧端末用処理部とを備え、前記注文情報には、顧客が注文した商品を示す商品情報が含まれ、前記一覧端末用処理部は、前記一覧端末用表示部への前記商品情報が示す商品の表示態様を商品の分類に応じて決定する表示態様設定を取得し、且つ該表示態様設定に基づいて決定した表示態様で前記商品情報が示す商品を前記一覧端末用表示部に表示する注文表示機能を有する。
【００１２】
かかる構成によれば、一覧端末用表示部には、顧客が注文した商品が分類に応じて決定された表示態様で表示されるため、キッチン内の作業者は、一覧端末用表示部に表示された商品の表示態様を見ただけで受注している商品の内容を直観的に素早く認識することができる。
【００１３】
本考案の注文伝達システムにおいて、前記注文表示機能は、前記商品情報が示す商品の商品名と、該商品名の背景とを前記一覧端末用表示部に表示するように構成され、前記表示態様設定は、前記商品名、及び前記商品名の領域の背景の少なくとも何れか一方の表示態様を前記分類に応じて決定するように構成されていてもよい。
【００１４】
かかる構成によれば、商品名や、商品名を表示する領域の背景の表示態様を見ただけで受注した商品の内容を認識できるようになる。従って、前記注文伝達システムにおいても、一覧端末用表示部に表示されている商品の内容を素早く認識することができる。
【００１５】
本考案の注文伝達システムにおいて、前記表示態様設定は、商品の種別を前記分類として商品の表示色を決定するように構成されていてもよい。
【００１６】
かかる構成によれば、顧客が注文した商品が種別に応じた表示色で一覧端末用表示部に表示されるため、キッチン内の作業者は、該一覧端末用表示部に表示されている商品の表示色を見ただけで受注している商品の種別を素早く認識できるようになる。
【００１７】
また、本考案の注文伝達システムにおいて、前記表示態様設定は、顧客による商品の消費態様を前記分類として商品の表示色を決定するように構成されていてもよい。
【００１８】
かかる構成によれば、顧客が注文した商品が消費態様（例えば、店内での消費又は持ち帰り）に応じた表示色で一覧端末用表示部に表示されるため、キッチン内の作業者は、該一覧端末用表示部に表示されている商品の表示色を見ただけで受注している商品の消費態様を素早く認識できるようになる。
【００１９】
さらに、本考案の注文伝達システムにおいて、前記一覧端末用処理部は、前記商品情報が示す商品がメインメニュー、サイドメニュー、メインメニュー又はサイドメニューに付随するオプションの何れに該当するかを識別するための識別機能を有し、前記識別機能によりメインメニューであると識別された前記商品情報を表示するメイン表示領域と、前記識別機能によりサイドメニュー又はオプションであると識別された前記商品情報を表示するサブ表示領域とを設定するように構成されていてもよい。
【００２０】
かかる構成によれば、メインメニューを表示する領域と、サイドメニュー及びオプションを表示する領域とが分かれているため、メインメニュ―に加えて、サイドメニューやオプションが注文されている場合において、キッチン内の作業者が、一覧端末用表示部に表示されている商品の表示位置を見ただけで、該商品がメインメニューであるか、サイドメニュー又はオプションであるかを素早く認識することができるようになる。
【００２１】
この場合、前記一覧端末用処理部は、一つの前記メイン表示領域と隣り合う位置に複数の前記サブ表示領域を設定し、前記メイン表示領域と前記サブ表示領域とが隣り合う方向に対して直交する方向において、前記複数のサブ表示領域を並べて配置するように構成されていてもよい。
【００２２】
かかる構成によれば、一つのメイン表示領域の周囲に複数のサブ表示領域が並ぶレイアウトになっているため、一覧端末用表示部に表示されている商品の情報がメインメニューであるか、サイドメニュー又はオプションであるかを素早く見分けることができるようになる。
【００２３】
また、前記メイン表示領域と、前記サブ表示領域とは、矩形状の領域であり、前記メイン表示領域の長手方向と、前記サブ表示領域の長手方向とが互いに直交していてもよい。
【００２４】
かかる構成によれば、メイン表示領域が延びている方向と、サブ表示領域が延びている方向とがそれぞれ交差した態様となるため、メイン表示領域にメインメニューが表示され、サブ表示領域にサイドメニュー又はオプションが表示される場合は、一覧端末用表示部に表示されている商品の情報がメインメニューであるか、サイドメニュー又はオプションであるかを素早く見分けることができるようになる。
【００２５】
さらに、前記メイン表示領域と、前記サブ表示領域とには、それぞれの長手方向と対応する方向に沿って商品名が表示されていてもよい。
【００２６】
かかる構成によれば、メイン表示領域における商品名の表記方向と、サブ表示領域の表記方向とが異なっているため、メイン表示領域にメインメニューが表示され、サブ表示領域にサイドメニュー又はオプションが表示されている場合は、メンメニューであるか、サイドメニュー又はオプションであるかを素早く見分けることができるようになる。
【００２７】
そして、本考案の注文管理システムにおいて、前記一覧端末用処理部は、一つの注文情報に含まれる情報を表示するための注文表示領域を設定し、該注文表示領域内に前記メイン表示領域と、前記サブ表示領域とを設定するように構成されていてもよい。
【００２８】
かかる構成によれば、受注したメインメニューや、サイドメニュー、オプションが注文情報毎に区分けされた状態で表示部に表示されるため、一つの注文に係る商品を構成するメインメニューや、サイドメニュー、オプションの組み合わせを認識し易くなる。
【００２９】
本考案の注文伝達システムは、前記注文情報の収集及び配信を行う情報集配信端末と、該情報集配信端末から配信された前記注文情報の内容に応じた調理指示をキッチンの調理場内で表示する個別端末とを備え、前記情報集配信端末は、受信した前記注文情報に含まれる前記商品情報に対して、前記商品を構成する品目を示す少なくとも一つの構成品目情報を関連付ける情報構築処理と、前記構成品目情報が関連付けられている前記商品情報を含む前記注文情報を前記一覧端末と前記個別端末とに配信する配信処理とを実行するように構成され、該個別端末は、情報集配信端末から前記注文情報を受信するための個別端末用通信部と、該個別端末用通信部で受信した前記注文情報の内容を表示するための個別端末用表示部と、前記個別端末用通信部で受信した注文情報の内容に応じた処理を実行する個別端末用処理部とを備え、前記個別端末用処理部は、前記構成品目情報を調理指示として前記個別端末用表示部に表示する指示表示機能を有するようになっていてもよい。
【００３０】
かかる構成によれば、個別端末には、商品を構成する品目の調理指示が表示されるため、調理場の作業者が自身の作業を素早く認識できるようになる。
【００３１】
この場合、前記指示表示機能は、前記構成品目情報を調理順に並べて表示するように構成されていてもよい。
【００３２】
かかる構成によれば、構成品目情報が調理順に並べて表示されるため、調理場の作業者が自身の作業手順を素早く認識できるようになる。
【００３３】
さらに、本考案の注文伝達システムにおいて、前記個別端末用処理部は、前記調理場で調理対象としている前記品目を表示する品目表示枠と、該品目の調理指示を表示する複数の調理指示枠とを一行に並べて表示する調理情報表示領域を少なくとも一つ設定し、前記指示表示機能は、前記調理指示枠内に前記構成品目情報を表示するように構成されていてもよい。
【００３４】
かかる構成によれば、一つの品目に関する調理指示が一行に並べて表示されるため、調理場の作業者が作業手順を認識し易くなる。
【００３５】
また、本考案の注文伝達システムにおいて、前記指示表示機能は、前記構成品目情報を表示する前記調理指示枠内の背景に前記品目の種別に応じた色を設定するとともに、前記調理指示枠内に調理数を表示するように構成される。
【００３６】
かかる構成によれば、調理指示枠内の背景の色を変更することで品目の調理指示を表示し、且つ背景の色が変更されている調理指示枠内に品目の調理数が表示されるため、品目の調理指示と品目の調理数とが同じ場所である調理指示枠内に表示され、調理場の作業者が調理指示を確認した後、視点を変えることなく調理数まで把握することができる。
【００３７】
さらに、本考案の注文伝達システムにおいて、前記個別端末用処理部は、前記調理場で調理対象としている前記品目毎の調理数の残数を表示する残数表示機能を有するようにしてもよい。
【００３８】
かかる構成によれば、調理場の作業者が品目の調理数の残数を確認できるため、調理のための準備を円滑に行うことができる。
【考案の効果】
【００３９】
以上のように、本考案の注文伝達システムによれば、キッチン内での作業効率を向上させることにより、スピーディーな商品提供を実現できるという優れた効果を奏し得る。
【図面の簡単な説明】
【００４０】
【図１】図１は、本考案の一実施形態に係る注文伝達システムの概要図である。
【図２】図２は、同実施形態に係る注文伝達システムにおける各端末のブロック図である。
【図３】図３は、同実施形態に係る受付端末用処理部のブロック図である。
【図４】図４は、同実施形態に係る注文入力画面の説明図である。
【図５】図５は、同実施形態に係る注文情報のデータ構造の説明図である。
【図６】図６は、同実施形態に係る商品データベースの説明図である。
【図７】図７は、同実施形態に係る調理指示用処理部のブロック図である。
【図８】図８は、同実施形態に係る調理指示画面の説明図であって、（ａ）は指定エリアが設定されていない状態の調理指示画面の説明図であり、（ｂ）は指定エリアが設定されている状態の調理指示画面の説明図である。
【図９】図９は、同実施形態に係る一覧端末用処理部のブロック図である。
【図１０】図１０は、同実施形態に係る受注画面の説明図である。
【図１１】図１１は、同実施形態に係る注文表示領域の説明図である。
【図１２】図１２は、同実施形態に係る注文伝達システムのフローチャートであって、受付端末で注文を受けてから情報集配信装置が配信情報を送信するまでのフローチャートである。
【図１３】図１３は、同実施形態に係る注文伝達システムのフローチャートであって、配信情報を受信したときの個別端末のフローチャートである。
【図１４】図１４は、同実施形態に係る注文伝達システムのフローチャートであって、調理指示を消し込む際の個別端末のフローチャートである。
【図１５】図１５は、同実施形態に係る注文伝達システムのフローチャートであって、配信情報を受信したときの一覧端末のフローチャートである。
【図１６】図１６は、同実施形態に係る注文伝達システムのフローチャートであって、注文表示領域に表示されている注文内容を消し込む際の一覧端末のフローチャートである。
【考案を実施するための形態】
【００４１】
以下、本考案の一実施形態にかかる注文伝達システムについて、添付図面を参照しつつ説明する。
【００４２】
注文伝達システムは、飲食店等において、顧客から受けた注文の情報をキッチンに伝達するためのシステムである。なお、本実施形態では、図１に示すように、飲食店内に顧客が注文を行う注文口Ｆ１、顧客が注文した商品を調理するキッチンＦ２が設けられており、さらに、キッチンＦ２内には、調理場として、フライヤーで揚げ物を調理する揚場Ｆ２０と、コンロで焼き物や、炒め物、煮物等を調理するコンロ場Ｆ２１とが設けられていることを前提に以下の説明を行うこととする。
【００４３】
本実施形態に係る注文伝達システム１は、顧客の注文を受け付けるための受付端末２と、注文情報の収集及び配信を行う情報集配信端末３と（図３参照）、該情報集配信端末３から配信される注文情報に基づいて、調理場で調理対象とされている料理に関する情報を表示する個別端末４と、該情報集配信端末３から配信される注文情報に基づいて、顧客の注文商品を表示する複数の一覧端末５とを備えている。
【００４４】
なお、本実施形態に係る伝達システムにおいて、受付端末２は注文口Ｆ１に設置され、個別端末４は揚場Ｆ２０に設置され、一覧端末５は、揚場Ｆ２０とコンロ場Ｆ２１とに一つずつ設置されている。
【００４５】
受付端末２は、図２に示すように、顧客の注文に関する情報を情報集配信端末３に送信する受付端末用通信部２０と、顧客が注文可能な商品を表示する受付端末用表示部２１と、該表示部を介して顧客の注文に関する注文情報を情報集配信端末３に送信する受付端末用処理部２２と、情報を記憶する受付端末用記憶部２３とを備えている。
【００４６】
受付端末用通信部２０は、外部の機器や端末との通信機能を有するものである。また、受付端末用通信部２０は、通信対象が情報集配信端末３だけに限定されるものではない。
【００４７】
受付端末用表示部２１は、タッチパネルで構成されている。
【００４８】
受付端末用処理部２２は、図３に示すように、顧客が注文を入力するための注文入力画面を設定する入力画面設定機能２２０と、該入力画面設定機能２２０で入力された注文情報を情報集配信端末３に送信する送信機能２２１とを有する。
【００４９】
入力画面設定機能２２０は、受付端末用表示部２１に出力（表示）するように構成されている。
【００５０】
そして、図４に示すように、注文入力画面Ｗ１は、顧客が注文可能な商品を表す注文項目Ｗ１０と、注文を確定する確定ボタンＷ１１とが表示されるように構成されている。
【００５１】
注文項目Ｗ１０は、商品毎に予め設定されており、例えば、商品のイメージ図Ｗ１００、商品項目名Ｗ１０１、価格Ｗ１０２、注文ボタンＷ１０３で構成されている。また、注文入力画面Ｗ１では、注文ボタンＷ１０３を操作（押し操作）することにより、顧客が所望する商品を選択できるようになっている。
【００５２】
確定ボタンＷ１１は、操作（押し操作）されると、選択されている注文項目Ｗ１０に対応する商品の注文を確定するように構成されている。
【００５３】
送信機能２２１は、確定ボタンＷ１１が操作されるに伴い、図５に示すように、注文番号Ｄ１０と、選択されている注文項目Ｗ１０に対応する商品情報Ｄ１１とを関連付けて構築した注文情報Ｄ１を情報集配信に送信する発注処理を行うように構成されている。
【００５４】
注文番号Ｄ１０は、顧客を識別するための情報であり、数字の他、アルファベット等が設定されていればよい。
【００５５】
商品情報Ｄ１１は、表品を特定するための情報であり、商品項目名Ｗ１０１や、商品毎に個別に用意した識別子等が設定されていればよい。なお、商品情報Ｄ１１は、例えば、予め受付端末用記憶部２３に記憶しておいてもよいが、発注処理の実行時に送信機能２２１が読み出して注文番号Ｄ１０に関連付けることができれば、外部の機器に記憶させておいてもよい。
【００５６】
情報集配信端末３には、図６に示すように、顧客が注文可能な商品に関する情報を一括して管理するための商品データベースＤ２が設定されている。
【００５７】
商品データベースＤ２には、商品項目名Ｗ１０１を示す複数の名称情報Ｄ２０が含まれている。また、商品データベースＤ２では、各商品識別情報に対して、商品の調理が行われる場所を示すポジション情報Ｄ２１と、個別端末４に対する商品情報Ｄ１１の配信の要否を示す配信先情報Ｄ２２と、商品を構成する品目である複数の構成品目情報Ｄ２３とが関連付けられている。なお、品目とは、商品を構成する一つ一つの料理のことである。
【００５８】
商品識別情報には、商品毎に定められた固有の情報が設定されており、本実施形態では、定食や、丼等のメインメニューの名称や、唐揚げ、半熟卵等のサイドメニューの名称、そして、大盛り等のメインメニュー、サイドメニューに付随するオプションの名称が設定されている。なお、商品識別情報は、名称の替わりに、商品毎に定めた固有の数字等を設定しておいてもよい。
【００５９】
ポジション情報Ｄ２１には、商品識別情報が示す商品の調理作業が行われる調理場を識別する情報が設定される。本実施形態では、上述のように、調理場として、フライヤーで揚物を調理する揚場Ｆ２０と、コンロで焼き物や煮物等を調理するコンロ場Ｆ２１とがキッチンＦ２内に設置されているため、ポジション情報Ｄ２１には、揚場Ｆ２０のみを示す情報、コンロ場Ｆ２１のみを示す情報、又は揚場Ｆ２０及びコンロ場Ｆ２１を示す情報が設定されている。
【００６０】
配信先情報Ｄ２２には、商品識別情報が示す商品の調理作業が行われる調理場に揚場Ｆ２０が含まれているか否かを示す情報が設定される。すなわち、ポジション情報Ｄ２１が示す調理場に揚場Ｆ２０が含まれているか否かを示す情報が設定される。なお、配信先情報Ｄ２２は、ポジション情報Ｄ２１に揚場Ｆ２０のみを示す情報、又は揚場Ｆ２０及びコンロ場Ｆ２１を示す情報が設定されていているか否かを示す情報でもあるため、商品データベースＤ２に含まれていなくてもよい。
【００６１】
構成品目情報Ｄ２３は、商品を構成する品目のうち、揚げ物に該当する品目の有無を示すように構成されており、本実施形態では、カツ、えび、たまご、唐揚げの有無（個数や重量）を示すように構成されている。
【００６２】
情報集配信端末３は、注文端末から受信した注文情報Ｄ１に対して、商品情報Ｄ１１に対応する商品識別情報に関連付けられているポジション情報Ｄ２１、配信先情報Ｄ２２、構成品目情報Ｄ２３を付加した情報（以下、配信情報と称する）を構築する情報構築処理と、該配信情報を個別端末４及び一覧端末５の少なくとも何れか一方に配信する配信処理とを行うように構成されている。
【００６３】
なお、情報集配信端末３と、受付端末２、個別端末４、一覧端末５とはインターネットを通じて通信できるように構成されていてもよいし（いわゆる、クラウド形式のネットワークであってもよいし）、情報集配信端末３と、受付端末２、個別端末４、一覧端末５との間でローカルネットワークを構築するように構成されていてもよい。
【００６４】
また、情報集配信端末３と、受付端末２、個別端末４、一覧端末５との通信手段は、無線通信であってもよいし、有線通信であってもよい。
【００６５】
個別端末４は、図２に示すように、情報集配信装置から配信情報を受信するための個別端末用通信部４０と、該個別端末用通信部４０で受信した配信情報に基づいて前記調理指示を表示するための個別端末用表示部４１と、個別端末用通信部４０を介して受信した注文情報Ｄ１の内容に応じた処理を実行する個別端末用処理部４２と、情報を記憶する個別端末用記憶部４３とを備えている。
【００６６】
個別端末用通信部４０は、外部の機器や端末との通信機能を有するものである。また、個別端末用通信部４０は、通信対象が情報集配信端末３だけに限定されるものではない。
【００６７】
個別端末用表示部４１は、タッチパネルで構成されている。
【００６８】
個別端末４用処理部は、図７に示すように、調理指示を表示するための調理指示画面を設定する指示画面設定機能４２０と、個別端末用表示部４１（調理指示画面）に対して構成品目情報Ｄ２３を調理指示として表示する指示表示機能４２１と、調理指示（構成品目情報Ｄ２３）に対応する注文番号Ｄ１０を表示する番号表示機能４２２と、調理場で調理対象としている品目毎の調理数の残数を表示する残数表示機能４２３と、調理指示を消し込む（非表示にする）ための指示消込機能４２４とを有する。
【００６９】
指示画面設定機能４２０は、図８（ａ）に示すように、調理指示画面Ｗ２内に、調理場で調理対象としている前記品目を表示する品目表示枠Ｗ２０と、該品目の調理指示を表示する複数の調理指示枠Ｗ２１とを一行に並べて表示するように構成されている。
【００７０】
また、指示画面設定機能４２０は、一行に並ぶようにして一組にした品目表示枠Ｗ２０と複数の調理指示枠Ｗ２１のセットを一列に並べて複数（本実施形態では３つ）表示するように構成されている。
【００７１】
なお、本実施形態に係る指示画面設定機能４２０は、品目表示枠Ｗ２０、調理指示枠Ｗ２１に加えて、注文番号Ｄ１０を表示する番号表示枠Ｗ２２と、品目の調理残数を表示する残数表示枠Ｗ２３と、各調理指示枠Ｗ２１内の表示を更新するための更新ボタンＷ２４とを調理指示画面Ｗ２に表示するように構成されている。
【００７２】
番号表示領域は、後述する指示領域内の各列に一つずつ設定されている。そして、残数表示枠Ｗ２３は、調理指示画面Ｗ２の上部に設定されている。
【００７３】
指示表示機能４２１は、図８（ａ）に示すように、構成品目情報Ｄ２３を調理順に並べて表示するように構成されている。より具体的に説明すると、指示表示機能４２１は、商品情報Ｄ１１に関連付けられている構成品目情報Ｄ２３を、同品目の品目表示枠Ｗ２０の行を判定し、判定した行の調理指示枠Ｗ２１に対して構成品目情報Ｄ２３の内容（調理指示）を調理順に並べて表示する。
【００７４】
本実施形態では、図８（ａ）の最も左側に位置する調理指示枠Ｗ２１に表示されている調理指示が最も早い調理順となり、最も右側に位置する調理指示枠Ｗ２１に表示されている調理指示が最も遅い調理順となる。
【００７５】
また、指示表示機能４２１は、構成品目情報Ｄ２３の内容を表示する調理指示枠Ｗ２１に対して背景色を付すとともに、該調理指示枠Ｗ２１内に構成品目情報Ｄ２３に設定されている調理数を表示する指示表示処理を実行するように構成されている。本実施形態では、一つの構成品目に関する情報を表示する領域（品目表示枠Ｗ２０と調理指示枠Ｗ２１）とが一行に並ぶように設定されているため、行毎に調理指示枠Ｗ２１に設定する背景色が異っており、より具体的には、緑色、赤色、青色が各行に対して重複しないように割り当てられている。
【００７６】
なお、調理指示枠Ｗ２１に付す背景色を指定する情報は、例えば、予め品目毎に定めておいたうえで、指示表示記憶部に記憶させておいてもよいし、指示表示機能４２１が指示表示処理を実行する際に取得できるようになっていれば、外部の機器に記憶させておいてもよい。
【００７７】
番号表示機能４２２は、調理指示（構成品目情報Ｄ２３）を表示している調理指示枠Ｗ２１と同列の番号表示領域に対して、注文番号Ｄ１０、より具体的には、調理指示枠Ｗ２１に表示した構成品目情報Ｄ２３に関連付けられている注文番号Ｄ１０を表示する。
【００７８】
残数表示機能４２３は、各品目の未調理数を残数表示枠Ｗ２３に表示する。各品目の未調理数は、調理指示枠Ｗ２１に表示されている調理数の累計に対応する。そのため、残数表示機能４２３は、調理指示枠Ｗ２１に調理指示が追加されると残数表示枠Ｗ２３に表示している未調理数を増やし、調理指示枠Ｗ２１に調理指示が消し込まれると残数表示枠Ｗ２３に表示している未調理数を減らすように構成されている。
【００７９】
指示消込機能４２４は、調理作業が完了した品目の調理指示を消し込む（非表示にする）ための機能である。
【００８０】
上述の指示画面では、図８（ｂ）に示すように、複数の調理指示枠Ｗ２１を多行多列に並べて表示している領域（以下、指示領域Ｗ２５と称する）内に対して作業者が任意のエリア（矩形状のエリア）を指定できるようになっている。なお、作業者によって指定されたエリアは、指定エリアＷ２６として、視認できる態様で指示領域Ｗ２５内に表示される。
【００８１】
指示消込機能４２４は、指定エリアＷ２６内で調理指示を表示している状態の調理指示枠Ｗ２１を消込可能な状態（消込受付状態）に切り替えるように構成されている。
【００８２】
そして、指示消込機能４２４は、指定エリアＷ２６が設定されている状態で更新ボタンＷ２４が押し操作されると、指定エリアＷ２６内における消込受付状態の調理指示枠Ｗ２１に表示されている調理指示を削除するように構成されている。
【００８３】
一方、指示消込機能４２４は、作業者が指定エリアＷ２６に触れると、指定エリアＷ２６を非表示にし、さらに、調理指示枠Ｗ２１の消込受付状態を解除するように構成されている。
【００８４】
なお、指示消込機能４２４は、調理指示枠Ｗ２１を一つずつ選択できるように構成されていてもよい。この場合、指示消込機能４２４は、
【００８５】
調理指示を表示している状態の調理指示枠Ｗ２１に作業者が触れたときに（押し操作されたときに）、該調理指示枠Ｗ２１を消込受付状態に切り替え、選択状態の調理指示枠Ｗ２１に作業者が触れたときに、該調理指示枠Ｗ２１の消込受付状態を解除するように構成されていればよい。
【００８６】
一覧端末５は、図２に示すように、情報集配信端末３から配信情報を受信するための一覧端末用通信部５０と、該一覧端末用通信部５０で受信した配信情報に基づいて顧客が注文した商品を表示する一覧端末用表示部５１と、一覧端末用通信部５０を介して受信した注文情報Ｄ１の内容に応じた処理を実行する一覧端末用処理部５２と、一覧端末用記憶部５３とを備えている。
【００８７】
一覧端末用通信部５０は、外部の機器や端末との通信機能を有するものである。また、一覧端末用通信部５０は、通信対象が情報集配信端末３だけに限定されるものではない。
【００８８】
一覧端末用表示部５１は、タッチパネルで構成されている。
【００８９】
一覧端末用処理部５２は、図９に示すように、注文内容を表示するための受注画面を設定する受注画面設定機能５２０と、一覧端末用表示部５１（受注画面）への商品の表示色を該商品の分類に応じて決定する表示態様設定Ｄ３を取得し、且つ商品情報Ｄ１１が示す商品を表示態様設定Ｄ３の内容に基づいて決定した表示色で一覧端末用表示部５１に表示する注文表示機能５２１と、前記商品情報Ｄ１１が示す商品がメインメニュー、サイドメニュー、メインメニュー又はサイドメニューに付随するオプションの何れに該当するかを識別するための識別機能５２２と、一覧端末用表示部５１に表示している注文情報Ｄ１の内容の消込操作を行うための注文消込機能５２３とを有する。
【００９０】
分類とは、例えば、メニューのことであり、メインメニュー、サイドメニュー、オプションで各商品を区分けしてもよい。分類は、例えば、商品の消費態様であってもよく、この場合は、店内での消費、又は持ち帰りに区分けすることができる。
【００９１】
受注画面設定機能５２０は、図１０に示すうように、受注画面Ｗ３に複数の注文表示領域Ｗ３０と、各注文表示領域Ｗ３０に対して注文番号Ｄ１０を表示する番号表示領域Ｗ３１とを設定するように構成されている。
【００９２】
注文表示領域Ｗ３０は、一つの注文情報Ｄ１に含まれる商品情報Ｄ１１の内容を表示するための領域である。そして、本実施形態では、受注画面設定機能５２０によって、２行５列に並ぶように設定された１０個の注文表示領域Ｗ３０が受注画面Ｗ３に設定される。
【００９３】
さらに、受注画面設定機能５２０は、図１１に示すうように、識別機能５２２によりメインメニューであると識別された商品情報Ｄ１１を表示するメイン表示領域Ｗ３００と、該メイン表示領域Ｗ３００と並ぶ位置に設定され且つ識別機能５２２によりサイドメニュー又はオプションであると識別された商品情報Ｄ１１を表示するサブ表示領域Ｗ３０１とを各注文表示領域Ｗ３０内に設定する。
【００９４】
そして、注文表示機能５２１は、各注文表示領域Ｗ３０内において、一つのメイン表示領域Ｗ３００と隣り合う位置に複数のサブ表示領域Ｗ３０１の位置を設定するように構成されている。
【００９５】
また、注文表示機能５２１は、メイン表示領域Ｗ３００とサブ表示領域Ｗ３０１とが隣り合う方向に対して直交する方向において、複数のサブ表示領域Ｗ３０１が一列に並ぶように、複数のサブ表示領域Ｗ３０１の位置を設定する。すなわち、受注画面Ｗ３内において、メイン表示領域Ｗ３００と各サブ表示領域Ｗ３０１とは縦並びに配置され、各サブ表示領域Ｗ３０１は、横並びに配置されている。
【００９６】
本実施形態では、メイン表示領域Ｗ３００とサブ表示領域Ｗ３０１とがそれぞれ矩形状の領域となっており、メイン表示領域Ｗ３００の長手方向と、前記サブ表示領域Ｗ３０１の長手方向とは、互いに交差（直交）している。そして、メイン表示領域Ｗ３００とサブ表示領域Ｗ３０１とには、それぞれの長手方向に沿って商品名が表示されるようになっている。
【００９７】
表示態様設定Ｄ３は、注文表示機能５２１が取得できるようになっていれば、表示記憶部に記憶させていてもよいし、外部の機器に記憶させていてもよい。
【００９８】
表示態様設定Ｄ３は、商品名、及び商品名を表示する領域の背景の少なくとも何れか一方の表示態様を商品の分類に応じて決定するように構成されており、本実施形態では、商品の種別（例えば、丼や、定食、トッピング等）を分類として前記表示態様を決定するように構成されている。
【００９９】
また、表示態様設定Ｄ３は、顧客による商品の消費態様（例えば、店内での消費や、持ち帰り等）を前記分類としても商品名、及び商品名を表示する領域の背景の少なくとも何れか一方の表示態様を決定するように構成されていてもよい。
【０１００】
なお、本実施形態に係る表示態様設定Ｄ３は、商品情報Ｄ１１毎に予め用意しておいた画像で構成されているが、商品の分類に応じて商品名や、商品名を表示する領域の背景の表示態様を決定することができれば、商品情報Ｄ１１毎に予め設定しておいた文字の表示態様を指定するための情報や、背景の表示態様を指定するための情報等で構成されていてもよい。
【０１０１】
そして、商品名の表示態様とは、商品名を表す文字の色（単色や、複数の色（配色パターン）や、グラデーション、模様等）や、記号、字体等のことであり、背景の表示態様とは、背景の色（単色や、複数の色（配色パターン）や、グラデーション、模様等）のことである。なお、模様としては、例えば、木目調等の模様が挙げられる。
【０１０２】
指示消込機能４２４は、調理作業が完了した商品の表示を消し込む（非表示にする）ための機能である。
【０１０３】
上述の受注画面Ｗ３では、注文情報Ｄ１の内容を表示している注文表示領域Ｗ３０に作業者が触れると（押し操作されると）、該注文表示領域Ｗ３０が消し込みを受け付けた消込受付状態に切り替えられ、所定時間経過すると、消込受付状態から消込完了状態、すなわち、消込処理が完了した旨を示す状態に切り替えられる。なお、図１０中の仮想線で図示した注文表示領域Ｗ３０に対応する部分は、消込処理が完了した状態を示している。
【０１０４】
また、注文表示領域Ｗ３０が消込受付状態に切り替わった後、所定時間経過前に作業者が再度注文表示領域Ｗ３０に触れると、消込受付状態が解除される。このように、消込受付状態とは、注文表示領域Ｗ３０を消込受付状態から元の状態に戻すか、そのまま削除するかを選択できる状態のことである。
【０１０５】
本実施形態に係る注文伝達システム１の構成は、以上の通りである。続いて、注文伝達システム１の動作を説明する。
【０１０６】
図１２に示すように、顧客が受付端末２を利用して注文を行うと（Ｓ１でＹｅｓ）、受付端末２が注文情報Ｄ１を情報集配信端末３に送信する（Ｓ２）。
【０１０７】
そして、情報集配信端末３が注文情報Ｄ１に対してポジション情報Ｄ２１、配信先情報Ｄ２２、構成品目情報Ｄ２３を付加し（Ｓ３）、ポジション情報Ｄ２１の設定内容に基づいて必要な端末にこれらの情報（配信情報）を送信する（Ｓ４）。
【０１０８】
図１３に示すように、個別端末４が注文情報Ｄ１を受信すると（Ｓ５でＹｅｓ）、構成品目情報Ｄ２３を調理順に並ぶようにして調理情報表示領域の調理指示枠Ｗ２１に表示する（Ｓ６）。
【０１０９】
このとき、調理指示枠Ｗ２１の背景色を品目の種別に応じて決定された色に設定するとともに、構成品目情報Ｄ２３に設定されている品目の数を調理指示枠Ｗ２１に表示する。なお、調理指示枠Ｗ２１の上方には、注文番号Ｄ１０が併せて表示される。
【０１１０】
図１４に示すように、品目の調理を終えたキッチンＦ２内の作業者により、指示領域Ｗ２５内に指定エリアＷ２６が設定されると、（Ｓ７でＹｅｓ）、指定エリアＷ２６内で調理指示を表示している状態の調理指示枠Ｗ２１が消込受付状態に切り替えられる。そして、指定エリアＷ２６が非表示にされていない状態で（Ｓ８でＹｅｓ）更新ボタンＷ２４が押し操作されると（Ｓ９でＹｅｓ）、調理指示枠Ｗ２１内の調理指示が消し込まれる（Ｓ１０）。一方、指定エリアＷ２６が非表示にされると（Ｓ８でＮｏ）調理指示の消込受付状態が解除される（Ｓ１１）。
【０１１１】
次に、図１５に示すように、一覧端末５が注文情報Ｄ１を受信すると（Ｓ１２でＹｅｓ）、注文情報Ｄ１にメインメニューを示す商品情報Ｄ１１が含まれている場合は（Ｓ１３でＹｅｓ）、メイン表示領域Ｗ３００にメインメニューを表示する（Ｓ１４）。さらに、注文情報Ｄ１にサイドメニュー又はオプションを示す商品情報Ｄ１１が含まれている場合は（Ｓ１５でＹｅｓ）、サブ表示領域Ｗ３０１にサイドメニューや、オプションを表示する（Ｓ１６）。
【０１１２】
一方、注文情報Ｄ１にメインメニューと識別される商品情報Ｄ１１が含まれておらず（Ｓ１３でＮｏ）、注文情報Ｄ１にサイドメニュー又はオプションを示す商品情報Ｄ１１が含まれている場合は（Ｓ１７でＹｅｓ）メイン表示領域Ｗ３００にはサイドメニューや、オプションと識別される商品情報Ｄ１１を表示する（Ｓ１８）。
【０１１３】
そして、図１６に示すように、キッチンＦ２内の作業者により、調理を終えた商品が表示されている注文表示領域Ｗ３０が選択されると（Ｓ１９でＹｅｓ）、選択された注文表示領域Ｗ３０に表示されている情報が消込可能な状態になり、注文表示領域Ｗ３０が選択されている状態が続くと（Ｓ２０でＹｅｓ）、注文表示領域Ｗ３０に表示されている注文内容が消し込まれる（Ｓ２１）。
【０１１４】
一方、作業者により商品情報Ｄ１１が再選択されると（Ｓ２０でＮｏ）、消込可能な状態が解除される（Ｓ２２）。
【０１１５】
以上のように、本実施形態に係る注文伝達システム１は、個別端末４の個別端末用表示部４１が、顧客が注文した商品を構成する品目と品目の調理作業とを視覚情報に基づいて素早く認識できるように構成されるとともに、一覧端末５が、顧客の注文した商品を視覚情報に基づいて素早く認識できるように構成されているため、作業者がキッチンＦ２内で円滑に作業を行えるようになる。
【０１１６】
従って、注文伝達システム１は、キッチンＦ２内での作業効率を向上させることにより、スピーディーな商品提供を実現できるという優れた効果を奏し得る。
【０１１７】
より具体的に説明すると、一覧端末５では、注文表示機能５２１が、表示態様設定Ｄ３により商品の分類に応じて決定した表示色で前記商品情報Ｄ１１が示す商品を一覧端末用表示部５１に表示するため、キッチンＦ２内の作業者は、商品の表示色を見ただけで受注している商品の内容を素早く認識することができる。
【０１１８】
なお、本実施形態においては、表示態様設定Ｄ３により、商品名の文字色や、商品名を表示する領域の背景色が色分けされているため、商品名の文字色や、商品名を表示する領域の背景色が色分けされているため、作業者は、文字色や、商品名を表示する領域の背景色を見て商品の内容を認識する。
【０１１９】
そのため、注文伝達システム１では、一覧端末用表示部５１に表示されている商品名自体を読まずに受注した商品の内容を認識することが可能となり、より素早く商品の内容を認識できるようになる。
【０１２０】
また、表示態様設定Ｄ３は、商品の種別を分類として商品の表示色を決定するように構成されているため、作業者は、商品の表示色を見ただけで受注している商品の種別を素早く認識できるようになる。
【０１２１】
なお、表示態様設定Ｄ３が商品の消費態様を前記分類として商品の表示色を決定するように構成されていている場合は、商品の表示色を見ただけで受注している商品の消費態様を素早く認識できるようになる。
【０１２２】
さらに、注文伝達システム１では、注文表示機能５２１により、メインメニューであると識別された商品情報Ｄ１１を優先して表示するメイン表示領域Ｗ３００と、サイドメニュー又はオプションであると識別された商品情報Ｄ１１を表示するサブ表示領域Ｗ３０１とが設定されるため、メインメニューを優先的に表示する領域と、サイドメニュー及びオプションを表示する領域とが区分けされ、キッチンＦ２内の作業者が、一覧端末用表示部５１に表示されている商品の表示位置を見ただけで、該商品がメインメニューであるか、サイドメニュー又はオプションであるかを素早く認識することができるようになる。
【０１２３】
また、メイン表示領域Ｗ３００と複数のサブ表示領域Ｗ３０１とが並ぶ方向と、複数のサブ表示領域Ｗ３０１が並ぶ方向とがそれぞれ異なっている（直交している）ため、作業者は、メイン表示領域Ｗ３００に表示された情報とサブ表示領域Ｗ３０１に表示された情報のレイアウトを見てメインメニューと、サイドメニュー及びオプションとを素早く見分けることができるようになる。
【０１２４】
さらに、メイン表示領域Ｗ３００と、サブ表示領域Ｗ３０１とは、それぞれ異なる形状、より具体的には、長手方向が異なる向きに沿って延びるように設定された矩形状の領域であるため、メイン表示領域Ｗ３００に表示された情報とサブ表示領域Ｗ３０１に表示された情報の形状を見てメインメニューと、サイドメニュー及びオプションとを素早く見分けることができるようになる。
【０１２５】
なお、本実施形態では、メイン表示領域Ｗ３００に対する商品名Ｗ１０１の標記方向と、サブ表示領域Ｗ３０１に対する商品名Ｗ１０１の標記方向とが異なっているため、メイン表示領域Ｗ３００に表示された情報とサブ表示領域Ｗ３０１に表示されている文字の並び方からも、メインメニューと、サイドメニュー及びオプションとを素早く見分けることができるようになっている。
【０１２６】
さらに、同じ注文情報Ｄ１に含まれる商品情報Ｄ１１は、一つの注文表示領域Ｗ３０内に設定されているメイン表示領域Ｗ３００、サブ表示領域Ｗ３０１に表示されるため、受注したメインメニューや、サイドメニュー、オプションが注文情報Ｄ１毎に区分けされた状態で一覧端末用表示部５１に表示され、一度に配膳する商品を認識し易くなる。
【０１２７】
さらに、本実施形態に係る注文伝達システム１においては、キッチンＦ２内の調理場に設置されている個別端末４により、商品を構成する品目を示す構成品目情報Ｄ２３を表示することができるため、作業者は、自身の作業を素早く認識できるようになる。
【０１２８】
また、構成品目情報Ｄ２３は、調理順、より具体的には、調理指示枠Ｗ２１に対して調理順に沿って一行に並べて表示されるため、調理場の作業者が作業手順を認識し易くなる。なお、本実施形態では、構成品目情報Ｄ２３を表示する調理指示枠Ｗ２１の背景の色が指示表示機能４２１により変更される（品目の種別に応じて変更される）ため、
【０１２９】
かかる構成によれば、調理場の作業者は、構成品目情報Ｄ２３の背景の色を見ただけで品目の種別を素早く認識することができる。
【０１３０】
なお、個別端末４においては、残数表示機能４２３によって個別端末用表示部４１に対して品目毎の調理数の残数が表示されるため、調理場の作業者は、品目の調理数の残数を確認し、調理のための準備を円滑に行うことができる。
【０１３１】
また、注文伝達システム１は、顧客の注文に関する情報のうち、調理に時間がかかる揚物の調理指示を抽出して個別端末４に表示するように構成されているため、揚場Ｆ２０の作業者は、注文内容を一覧端末５で確認しながらも、揚物を調理する必要があることを逸早く知ることができるようになっている。
【０１３２】
従って、調理時間がかかる揚物の調理を他の品目に先駆けて開始することが可能となり、よりスピーディーに商品を提供できるようになる。
【０１３３】
なお、本考案の注文伝達システム１は、上記一実施形態に限定されるものではなく、本考案の要旨を逸脱しない範囲において種々変更が可能である。
【０１３４】
上記実施形態では特に言及しなかったが、受付端末２は、例えば、タブレット等の携帯電子端末のように、受付端末用通信部２０、受付端末用表示部２１、受付端末用処理部２２、受付端末用記憶部２３を一体に備えたものであってもよいし、別体で構成される受付端末用通信部２０、受付端末用表示部２１、受付端末用処理部２２、受付端末用記憶部２３を接続して構成したものであってもよい。
【０１３５】
また、個別端末４や、一覧端末５も、各種構成を一体に備えたものであってもよいし、別体で構成されている各種構成を接続したものを一つ端末としてもよい。
【０１３６】
上記実施形態において特に言及しなかったが、指示画面設定機能４２０は、調理指示画面Ｗ２を複数ページ表示できるように構成されていてもよい。また、調理指示画面Ｗ２の切り替えは、例えば、スワイプにより実行できるようになっていればよい。
【０１３７】
上記実施形態において特に言及しなかったが、受注画面設定機能５２０は、受注画面Ｗ３を複数ページ表示できるように構成されていてもよい。また、受注画面Ｗ３の切り替えは、例えば、スワイプにより実行できるようになっていればよい。
【０１３８】
上記実施形態において特に言及しなかったが、個別端末４は、一つの注文に含まれる品目の調理作業が全て完了したことを一覧端末５に通知するように構成されていてもよい。
【０１３９】
この場合、一覧端末５は、個別端末３から前記通知を受けた際に、該当する注文の情報を表示している注文表示領域Ｗ３０の表示態様（例えば、背景の色）を変更するように構成されていればよい。
【０１４０】
上記実施形態では、揚場Ｆ２０とコンロ場Ｆ２１とに一つずつ一覧端末５が設置されていたため、これらの一覧端末５は、情報集配信装置３から受信したポジション情報Ｄ２１に揚場Ｆ２０とコンロ場Ｆ２１とを示す情報が設定されている場合は、揚場Ｆ２０の一覧端末５とコンロ場Ｆ２１の一覧端末５との双方で注文表示領域Ｗ３０への消込操作が行われた際に、それぞれの一覧端末５において注文表示領域Ｗ３０の消込処理を実行するようにしてもよい。
【０１４１】
このようにすれば、一覧端末５の間で受注状況や、顧客への商品の提供情報を同期させることができるため、商品の提供し忘れ等を防止することができる。
【符号の説明】
【０１４２】
１…注文伝達システム、２…受付端末、３…情報集配信端末、４…個別端末、５…一覧端末、２０…受付端末用通信部、２１…受付端末用表示部、２２…受付端末用処理部、２３…受付端末用記憶部、４０…個別端末用通信部、４１…個別端末用表示部、４２…個別端末用処理部、４３…個別端末用記憶部、５０…一覧端末用通信部、５１…一覧端末用表示部、５２…一覧端末用処理部、５３…一覧端末用記憶部、２２０…入力画面設定機能、２２１…送信機能、４２０…指示画面設定機能、４２１…指示表示機能、４２２…番号表示機能、４２３…残数表示機能、４２４…指示消込機能、５２０…受注画面設定機能、５２１…注文表示機能、５２２…識別機能、５２３…注文消込機能、Ｄ１…注文情報、Ｄ１０…注文番号、Ｄ１１…商品情報、Ｄ２…商品データベース、Ｄ２０…名称情報、Ｄ２１…ポジション情報、Ｄ２２…配信先情報、Ｄ２３…構成品目情報、Ｄ３…表示態様設定、Ｆ１…注文口、Ｆ２…キッチン、Ｆ２０…揚場、Ｆ２１…コンロ場、Ｗ１…注文入力画面、Ｗ１０…注文項目、Ｗ１００…イメージ図、Ｗ１０１…商品名、Ｗ１０２…価格、Ｗ１０３…注文ボタン、Ｗ１１…確定ボタン、Ｗ２…調理指示画面、Ｗ２０…品目表示枠、Ｗ２１…調理指示枠、Ｗ２２…番号表示枠、Ｗ２３…残数表示枠、Ｗ２４…更新ボタン、Ｗ２５…指示領域、Ｗ２６…指定エリア、Ｗ３…受注画面、Ｗ３０…注文表示領域、Ｗ３００…メイン表示領域、Ｗ３０１…サブ表示領域、Ｗ３１…番号表示領域
【図１】
0003211226.tif 000003
【図２】
0003211226.tif 000004
【図３】
0003211226.tif 000005
【図４】
0003211226.tif 000006
【図５】
0003211226.tif 000007
【図６】
0003211226.tif 000008
【図７】
0003211226.tif 000009
【図８】
0003211226.tif 000010
【図９】
0003211226.tif 000011
【図１０】
0003211226.tif 000012
【図１１】
0003211226.tif 000013
【図１２】
0003211226.tif 000014
【図１３】
0003211226.tif 000015
【図１４】
0003211226.tif 000016
【図１５】
0003211226.tif 000017
【図１６】
0003211226.tif 000018